(57)【特許請求の範囲】
【請求項１】
複数の照明装置を含む複数の機器と、前記複数の機器との間で無線通信を行う制御装置とを備える照明制御システムであって、
前記制御装置は、
前記無線通信とは異なる手段で、前記複数の機器の各々に固有の識別子を第１識別子として取得する取得部と、
前記無線通信を行うことで、前記無線通信の通信範囲内に位置する複数の機器から当該複数の機器の各々に固有の識別子を第２識別子として取得する通信部と、
前記取得部が取得した複数の第１識別子と前記通信部が取得した複数の第２識別子とを比較し、比較結果に基づいて、前記複数の第１識別子のうち、前記複数の第２識別子のいずれかに一致する１以上の第１識別子に対応する１以上の機器を、登録対象機器として決定する制御部とを備える
照明制御システム。
【請求項２】
前記通信部は、さらに、前記取得部が前記複数の第１識別子を取得した場合に、前記通信範囲内に位置する複数の機器に対して識別子の送信を要求する
請求項１に記載の照明制御システム。
【請求項３】
前記制御装置は、さらに、記憶部を備え、
前記制御部は、登録対象機器として決定された１以上の機器の一覧を示す一覧情報を生成し、前記記憶部に保存する
請求項１又は２に記載の照明制御システム。
【請求項４】
前記制御部は、さらに、前記制御装置とは異なる端末機器からの要求に応じて、前記一覧情報が示す１以上の登録対象機器を前記端末機器に通知する
請求項３に記載の照明制御システム。
【請求項５】
前記取得部は、さらに、前記登録対象機器とは異なる機器である追加機器の識別子を取得し、
前記通信部は、さらに、前記取得部が前記追加機器の識別子を取得した場合に、前記通信範囲内に位置する複数の機器に対して識別子の送信を要求し、
前記制御部は、さらに、前記追加機器の識別子と前記通信部が取得した複数の第２識別子とを比較し、前記追加機器の識別子が前記複数の第２識別子のいずれかに一致した場合に、前記一覧情報に前記追加機器を追加する
請求項３又は４に記載の照明制御システム。
【請求項６】
前記制御装置は、さらに、１以上の前記登録対象機器のうち１つの機器を削除対象機器として選択する削除操作を受け付ける操作受付部を備え、
前記通信部は、さらに、前記操作受付部が前記削除操作を受け付けた場合に、前記削除対象機器に、削除対象機器として選択されたことを示す削除通知を送信し、
前記制御部は、さらに、前記通信部が前記削除通知に対する応答を受信した場合に、又は、前記削除通知を送信してから所定期間経過後に、前記一覧情報から前記削除対象機器を削除する
請求項３〜５のいずれか１項に記載の照明制御システム。
【請求項７】
前記識別子は、機器の種別を示す種別情報を含み、
前記制御装置は、さらに、前記登録対象機器を、当該登録対象機器に対応する識別子が含む前記種別情報が示す種別とともに表示する表示部を備える
請求項１〜６のいずれか１項に記載の照明制御システム。
【請求項８】
前記複数の機器の外側面には、対応する識別子を示す識別子情報が付され、
前記取得部は、前記識別子情報を撮影する撮影部を含み、撮影された識別子情報を解析することで、前記第１識別子を取得する
請求項１〜７のいずれか１項に記載の照明制御システム。
【請求項９】
前記識別子情報は、ＱＲコード（登録商標）である
請求項８に記載の照明制御システム。
【請求項１０】
前記制御装置は、
前記取得部を備える操作端末と、
前記通信部及び前記制御部を備え、前記操作端末と通信する照明制御装置とを備える
請求項１〜９のいずれか１項に記載の照明制御システム。
【請求項１１】
請求項１〜１０のいずれかに記載の照明制御システムが備える前記複数の照明装置の１つである照明装置であって、
固有に割り当てられた識別子を記憶する識別子記憶部と、
前記制御装置から識別子の送信を要求された場合に、無線通信を行うことで、前記識別子記憶部に記憶された識別子を前記制御装置に送信する無線通信部とを備える
照明装置。
【請求項１２】
複数の照明装置を含む複数の機器との間で無線通信を行う照明制御装置であって、
前記無線通信を行うことで、前記無線通信の通信範囲内に位置する複数の機器から当該複数の機器の各々に固有の識別子を取得する通信部と、
前記無線通信とは異なる手段で取得された複数の第１識別子と、前記通信部が取得した複数の識別子である複数の第２識別子とを比較し、比較結果に基づいて、前記複数の第１識別子のうち、前記複数の第２識別子のいずれかに一致する１以上の第１識別子に対応する１以上の機器を、登録対象機器として決定する制御部とを備える
照明制御装置。
【請求項１３】
請求項１２に記載の照明制御装置と通信する操作端末であって、
前記無線通信とは異なる手段で、前記複数の機器の各々に固有の識別子を前記第１識別子として取得する取得部と、
前記取得部が取得した複数の第１識別子を前記照明制御装置に送信する通信部とを備え、
前記通信部は、さらに、前記制御部によって決定された１以上の登録対象機器の通知を受信する
操作端末。
【請求項１４】
複数の照明装置を含む複数の機器を制御する照明制御方法であって、
前記複数の機器との間で行われる無線通信とは異なる手段で、前記複数の機器の各々に固有の識別子を第１識別子として取得する第１取得ステップと、
前記無線通信を行うことで、前記無線通信の通信範囲内に位置する複数の機器から当該複数の機器の各々に固有の識別子を第２識別子として取得する第２取得ステップと、
前記第１取得ステップで取得した複数の第１識別子と前記第２取得ステップで取得した複数の第２識別子とを比較し、比較結果に基づいて、前記複数の第１識別子のうち、前記複数の第２識別子のいずれかに一致する１以上の第１識別子に対応する１以上の機器を、登録対象機器として決定する決定ステップとを含む
照明制御方法。
【発明の詳細な説明】
【技術分野】
【０００１】
本発明は、複数の照明装置を制御する照明制御システム、及び、当該照明制御システムに用いられる照明装置、照明制御装置、操作端末及び照明制御方法に関する。
【背景技術】
【０００２】
従来、照明装置の点灯又は消灯などの動作を無線通信によって制御することが行われている。例えば、特許文献１には、１つの操作端末が複数の照明装置を無線通信によって制御する技術が開示されている。
【先行技術文献】
【特許文献】
【０００３】
【特許文献１】特開２０１５−０４１４３８号公報
【発明の概要】
【発明が解決しようとする課題】
【０００４】
複数の照明装置を無線通信によって制御する場合には、端末装置に予め複数の照明装置を登録しておく必要がある。登録処理には、例えば、複数の照明装置を設置した後、無線通信によって自動的に行う方法がある。しかしながら、当該無線通信を利用した場合には、通信範囲内にある照明器具を登録するので、例えば、集合住宅などのように隣の部屋の照明器具を誤って登録してしまう恐れがある。
【０００５】
また、複数の照明装置を１つずつ個別に登録する方法もあるが、非常に手間のかかる作業がユーザ又は施工業者などに強いられる。具体的には、１つの照明装置について、設置箇所への電力の供給を断って設置箇所に照明装置を取り付けた後、電力の供給を再開し、当該照明装置との通信により登録を行う。ユーザ又は施工業者などは、制御対象の照明装置の台数分、この作業を繰り返す必要がある。特に、ダウンライトなどの天井埋込型の照明器具では、天井への取り付け作業を何度も繰り返す必要があり、非常に煩わしく不便である。したがって、複数の照明装置を容易に登録できるシステムが求められる。
【０００６】
そこで、本発明は、誤登録の発生を抑制し、かつ、容易に複数の照明装置を登録することができる照明制御システムなどを提供することを目的とする。
【課題を解決するための手段】
【０００７】
上記目的を達成するため、本発明の一態様に係る照明制御システムは、複数の照明装置を含む複数の機器と、前記複数の機器との間で無線通信を行う制御装置とを備える照明制御システムであって、前記制御装置は、前記無線通信とは異なる手段で、前記複数の機器の各々に固有の識別子を第１識別子として取得する取得部と、前記無線通信を行うことで、前記無線通信の通信範囲内に位置する複数の機器から当該複数の機器の各々に固有の識別子を第２識別子として取得する通信部と、前記取得部が取得した複数の第１識別子と前記通信部が取得した複数の第２識別子とを比較し、前記複数の第１識別子のうち、前記複数の第２識別子のいずれかに一致する１以上の第１識別子に対応する１以上の機器を、登録対象機器として決定する制御部とを備える。
【０００８】
また、本発明の一態様に係る照明装置は、上記照明制御システムが備える前記複数の照明装置の１つである照明装置であって、固有に割り当てられた識別子を記憶する識別子記憶部と、前記制御装置から識別子の送信を要求された場合に、無線通信を行うことで、前記識別子記憶部に記憶された識別子を前記制御装置に送信する無線通信部とを備える。
【０００９】
また、本発明の一態様に係る照明制御装置は、複数の照明装置を含む複数の機器との間で無線通信を行う照明制御装置であって、前記無線通信を行うことで、前記無線通信の通信範囲内に位置する複数の機器から当該複数の機器の各々に固有の識別子を取得する通信部と、前記無線通信とは異なる手段で取得された複数の第１識別子と、前記通信部が取得した複数の識別子である複数の第２識別子とを比較し、前記複数の第１識別子のうち、前記複数の第２識別子のいずれかに一致する１以上の第１識別子に対応する１以上の機器を、登録対象機器として決定する制御部とを備える。
【００１０】
また、本発明の一態様に係る操作端末は、上記照明制御装置と通信する操作端末であって、前記無線通信とは異なる手段で、前記複数の機器の各々に固有の識別子を前記第１識別子として取得する取得部と、前記取得部が取得した複数の第１識別子を前記照明制御装置に送信する通信部とを備え、前記通信部は、さらに、前記制御部によって決定された１以上の登録対象機器の通知を受信する。
【００１１】
また、本発明の一態様に係る照明制御方法は、複数の照明装置を含む複数の機器を制御する照明制御方法であって、前記複数の機器との間で行われる無線通信とは異なる手段で、前記複数の機器の各々に固有の識別子を第１識別子として取得する第１取得ステップと、前記無線通信を行うことで、前記無線通信の通信範囲内に位置する複数の機器から当該複数の機器の各々に固有の識別子を第２識別子として取得する第２取得ステップと、前記第１取得ステップで取得した複数の第１識別子と前記第２取得ステップで取得した複数の第２識別子とを比較し、前記複数の第１識別子のうち、前記複数の第２識別子のいずれかに一致する１以上の第１識別子に対応する１以上の機器を、登録対象機器として決定する決定ステップとを含む。
【発明の効果】
【００１２】
本発明に係る照明制御システムによれば、誤登録の発生を抑制し、かつ、容易に複数の照明装置を登録することができる。
【図面の簡単な説明】
【００１３】
【図１】実施の形態１に係る照明制御システムの概要を示す図である。
【図２】実施の形態１に係る照明装置の構成を示すブロック図である。
【図３】実施の形態１に係る照明装置に割り当てられた識別子を示す図である。
【図４】実施の形態１に係る照明装置の概観斜視図である。
【図５】実施の形態１に係る操作端末の構成を示すブロック図である。
【図６】実施の形態１に係るアイコン対応テーブルを示す図である。
【図７】実施の形態１に係る操作端末の表示部に表示される登録対象機器を示す画面例である。
【図８】実施の形態１に係るゲートウェイ（照明制御装置）の構成を示すブロック図である。
【図９】実施の形態１に係る一覧情報を示す図である。
【図１０】実施の形態１に係る照明制御システムにおいて、操作端末とルータ及びゲートウェイとの通信を確立する処理を示すシーケンス図である。
【図１１】実施の形態１に係る照明制御システムにおいて、複数の照明装置の登録予備処理を示すシーケンス図である。
【図１２】実施の形態１に係る照明制御システムにおいて、操作端末を追加する処理を示すシーケンス図である。
【図１３】実施の形態１に係る照明制御システムにおいて、照明装置を追加する処理を示すシーケンス図である。
【図１４】実施の形態１に係る照明制御システムにおいて、照明装置を削除する処理を示すシーケンス図である。
【図１５】実施の形態２に係る照明制御システムの概要を示す図である。
【図１６】実施の形態２に係る操作端末の構成を示すブロック図である。
【発明を実施するための形態】
【００１４】
以下では、本発明の実施の形態に係る照明制御システム、照明装置、照明制御装置、操作端末及び照明制御方法について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１５】
また、各図は、模式図であり、必ずしも厳密に図示されたものではない。また、各図において、同じ構成部材については同じ符号を付している。
【００１６】
（実施の形態１）
［概要］
まず、本実施の形態に係る照明制御システムの概要について、図１を用いて説明する。図１は、本実施の形態に係る照明制御システム１の概要を示す図である。
【００１７】
図１は、一例として、マンションなどの集合住宅の２室を示している。自室２ａにおいて、本実施の形態に係る照明制御システム１が構成されている。照明制御システム１は、制御装置１０と、複数の照明装置２０とを備える。
【００１８】
図１に示すように、自室２ａには複数の照明装置２０が設置されている。複数の照明装置２０は、無線通信を介して制御装置１０によって制御される。図１に示す例では、複数の照明装置２０には、ダウンライト２０ａ及び２０ｂと、シーリングライト２０ｃとが含まれる。
【００１９】
自室２ａの隣の部屋である他室２ｂには、複数の照明装置３０が設置されている。複数の照明装置３０には、ダウンライト３０ａと、シーリングライト３０ｂとが含まれる。
【００２０】
図１に示す例では、他室２ｂに設置されたダウンライト３０ａは、制御装置１０による無線通信の通信範囲内に位置する。このため、制御装置１０は、ダウンライト３０ａを誤って制御する恐れがある。そこで、制御装置１０の制御対象からダウンライト３０ａを除外する必要がある。このため、制御装置１０は、制御対象となる機器（具体的には、照明装置２０）を予め登録しておくことで、ダウンライト３０ａの誤操作を抑制することができる。
【００２１】
本実施の形態に係る照明制御システム１は、制御装置１０による複数の照明装置２０の登録処理を支援するシステムである。具体的には、照明制御システム１では、登録対象となる複数の機器を示す一覧を生成し、ユーザ又は施工業者に提示することができる。
【００２２】
以下では、本実施の形態に係る照明制御システム１の各構成要素について詳細に説明する。
【００２３】
［照明装置］
まず、複数の照明装置２０及び３０について説明する。
【００２４】
図１に示すように、複数の照明装置２０は、自室２ａに設置されており、制御装置１０による制御されるべき機器の一例である。すなわち、複数の照明装置２０は、登録対象機器として決定されるべき機器である。
【００２５】
複数の照明装置３０は、他室２ｂに設置されており、制御装置１０によっては制御されるべきではない機器の一例である。すなわち、複数の照明装置３０は、登録対象機器として決定されるべき機器ではない。なお、照明装置３０の構成は、照明装置２０と同じであるので、以下では、照明装置２０について説明する。
【００２６】
照明装置２０は、例えば、ダウンライト、シーリングライトなどであるが、これに限定されない。照明装置２０は、ペンダントライト、スポットライト、フロアライト、ウォールライトなどでもよく、あるいは、電球形ランプ、直管形ランプなどでもよい。
【００２７】
図２は、本実施の形態に係る照明装置２０の構成を示すブロック図である。図２に示すように、照明装置２０は、通信部２１と、制御部２２と、記憶部２３と、光源部２５とを備える。
【００２８】
通信部２１は、制御装置１０から識別子の送信を要求された場合に、無線通信を行うことで、記憶部２３に記憶された識別子を制御装置１０に送信する無線通信部の一例である。通信部２１は、例えば、ＺｉｇＢｅｅ（登録商標）に基づいた無線通信を行う通信インタフェースである。
【００２９】
制御部２２は、照明装置２０の全体の動作を制御する。制御部２２は、例えば、マイコン（マイクロコントローラ）で実現される。具体的には、制御部２２は、プログラムが格納された不揮発性メモリ、プログラムを実行するための一時的な記憶領域である揮発性メモリ、入出力ポート、プログラムを実行するプロセッサなどで実現される。
【００３０】
制御部２２は、通信部２１が識別子要求を受信した場合に、記憶部２３から識別子２４を読み出す。制御部２２は、読み出した識別子２４を、識別子要求の応答として通信部２１を介して制御装置１０に送信する。また、制御部２２は、通信部２１が削除通知を受信した場合に、削除通知の確認処理を行う。具体的には、制御部２２は、制御装置１０からの指示に基づく照明制御を禁止する。
【００３１】
また、制御部２２は、光源部２５の点灯及び消灯などを制御する。制御部２２は、光源部２５の調光及び調色を制御してもよい。
【００３２】
記憶部２３は、照明装置２０に固有に割り当てられた識別子２４を記憶する識別子記憶部の一例である。記憶部２３は、例えば不揮発性メモリである。
【００３３】
識別子２４は、複数の照明装置２０（及び複数の照明装置３０）の各々に固有に割り当てられている。本実施の形態では、識別子２４は、機器の種別を示す種別情報を含んでいる。識別子２４の具体例については、後で説明する。
【００３４】
光源部２５は、照明装置２０の光源であり、可視光（照明光）を出射する。光源部２５は、例えば、調光及び調色機能を有する。あるいは、光源部２５は、赤色光、緑色光及び青色光の各々を独立して出射可能でもよい。
【００３５】
光源部２５は、例えば、ＬＥＤ（Ｌｉｇｈｔ  Ｅｍｉｔｔｉｎｇ  Ｄｉｏｄｅ）素子を有するＬＥＤモジュールである。なお、光源部２５は、ＬＥＤモジュールに限らず、有機ＥＬ（Ｅｌｅｃｔｒｏ−Ｌｕｍｉｎｅｓｃｅｎｃｅ）素子、レーザ素子などの固体発光素子、又は、蛍光灯でもよい。
【００３６】
［識別子］
ここで、識別子２４について図３及び図４を用いて説明する。
【００３７】
図３は、本実施の形態に係る複数の照明装置２０に割り当てられた識別子２４を示す図である。図３に示すように、識別子２４は、例えば、２バイトの情報で示される。１バイト目が種別情報を示し、２バイト目が機器のシリアル番号を示している。
【００３８】
種別情報は、照明装置２０の種別を示している。例えば、「０１」がダウンライトを示し、「０２」がシーリングライトを示している。なお、識別子２４は、種別情報及びシリアル番号以外の情報を含んでいてもよい。例えば、識別子２４は、照明装置２０の製造者、製造年月日などを示す情報を含んでもよい。また、識別子２４の長さも２バイトに限定されず、１バイトでもよく、３バイト以上でもよい。
【００３９】
図４は、本実施の形態に係る照明装置２０の概観斜視図である。ここでは、照明装置２０としてダウンライトを示している。
【００４０】
図４に示すように、照明装置２０の外側面には、対応する識別子２４を示す識別子情報２６が付されている。本実施の形態では、識別子情報２６は、ＱＲコード（登録商標）である。
【００４１】
識別子情報２６は、例えば、裏面に粘着性を有するシート状の紙又は樹脂など（いわゆるラベル）に印刷されて、照明装置２０の外側面に貼り付けられている。あるいは、識別子情報２６は、照明装置２０の外側面に直接刻印されていてもよい。なお、識別子情報２６が付される位置は、特に限定されず、照明装置２０に付されていなくてもよい。
【００４２】
ユーザ又は施工業者は、操作端末１１を操作することで、識別子情報２６を撮影する。操作端末１１は、撮影された識別子情報２６を解析することで、識別子２４を取得する。
【００４３】
なお、識別子情報２６は、ＱＲコード（登録商標）に限らない。識別子情報２６は、文字又は数字などを組み合わせた文字列でもよい。この場合、操作端末１１は、ユーザが文字列を直接入力することで識別子２４を取得してもよい。具体的には、操作端末１１は、タッチパネルディスプレイなどにテキストボックスなどを表示させることにより、ユーザに文字列を直接入力させることができる。
【００４４】
［制御装置］
続いて、制御装置１０について説明する。
【００４５】
制御装置１０は、複数の照明装置２０を含む複数の機器との間で無線通信を行う。本実施の形態では、図１に示すように、制御装置１０は、操作端末１１と、ルータ１２と、ゲートウェイ１３とを備える。
【００４６】
操作端末１１は、例えば、スマートフォン、携帯電話、タブレット端末、又は、専用のリモコン装置などである。操作端末１１は、ルータ１２を介してゲートウェイ１３と通信する。操作端末１１は、ユーザ又は施工業者などから所定の操作を受け付け、受け付けた操作に基づいて複数の照明装置２０を制御する。例えば、操作端末１１は、照明装置２０の点灯操作、消灯操作、調光操作又は調色操作などを受け付け、ルータ１２及びゲートウェイ１３を介して、受け付けた操作に応じた制御信号を照明装置２０に送信する。これにより、操作端末１１は、照明装置２０の点灯、消灯、調光及び調色などを制御する。
【００４７】
ルータ１２は、操作端末１１とゲートウェイ１３との通信を中継する中継器の一例である。ルータ１２は、操作端末１１と無線通信を行う。ルータ１２と操作端末１１との間の無線通信は、例えば、Ｗｉ−Ｆｉ（登録商標）などの無線通信規格に基づいた通信であるが、これに限定されない。当該無線通信は、Ｂｌｕｅｔｏｏｔｈ（登録商標）などの無線通信規格に基づいた通信でもよい。
【００４８】
ルータ１２は、イーサネット（登録商標）ケーブルなどの有線によってゲートウェイ１３と接続されている。これにより、ルータ１２は、ゲートウェイ１３と有線通信を行う。なお、ルータ１２は、ゲートウェイ１３と、Ｗｉ−Ｆｉ又はＢｌｕｅｔｏｏｔｈ（登録商標）などの無線通信を行ってもよい。
【００４９】
本実施の形態では、ルータ１２は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ機能を有する。ルータ１２は、操作端末１１及びゲートウェイ１３などからの要求に応じて、各々にＩＰ（Ｉｎｔｅｒｎｅｔ  Ｐｒｏｔｏｃｏｌ）アドレスを割り当てる。
【００５０】
ゲートウェイ１３は、複数の照明装置２０と無線通信を行う照明制御装置の一例である。ゲートウェイ１３と複数の照明装置２０の各々との間の無線通信は、例えば、ＺｉｇＢｅｅなどの無線通信規格に基づいた通信であるが、これに限定されない。当該無線通信は、Ｂｌｕｅｔｏｏｔｈ（登録商標）などの無線通信規格に基づいた通信でもよい。
【００５１】
以下では、操作端末１１及びゲートウェイ１３の詳細な構成について説明する。
【００５２】
［操作端末］
図５は、本実施の形態に係る操作端末１１の構成を示すブロック図である。図５に示すように、操作端末１１は、取得部１１１と、操作受付部１１２と、制御部１１３と、記憶部１１４と、通信部１１５と、表示部１１６とを備える。
【００５３】
取得部１１１は、無線通信とは異なる手段で、複数の照明装置２０の各々に固有の識別子を第１識別子として取得する。具体的には、取得部１１１は、ユーザ又は施工業者などから識別子の取得操作に基づいて第１識別子を取得する。
【００５４】
具体的には、取得部１１１は、撮影部１１７を有する。撮影部１１７は、例えばイメージセンサ及びレンズなどで実現される。撮影部１１７は、照明装置２０の外側面に付された識別子情報２６（ＱＲコード（登録商標））を撮影する。取得部１１１は、撮影部１１７によって撮影された識別子情報２６を解析することで、第１識別子を取得する。すなわち、取得部１１１は、ＱＲコード（登録商標）リーダである。
【００５５】
また、複数の登録対象機器が決定された後に、新たな機器を設置する場合が想定される。このため、取得部１１１は、新たな機器（すなわち、追加機器）の識別子を取得する。新たな機器にも、例えばＱＲコード（登録商標）が付されているので、撮影部１１７がＱＲコード（登録商標）を撮影することで、取得部１１１は、追加機器の識別子を取得する。
【００５６】
なお、取得部１１１が取得した複数の第１識別子は、通信部１１５によってゲートウェイ１３に送信されるまで、記憶部１１４に記憶される。つまり、本実施の形態では、通信部１１５が複数の第１識別子をまとめて送信するので、送信するまでの間は、複数の第１識別子は記憶部１１４に記憶される。このため、取得部１１１が識別子を取得する度に登録処理を行う必要はなく、登録処理も複数の照明装置２０をまとめて行うことができる。
【００５７】
操作受付部１１２は、ユーザ又は施工業者などから所定の操作を受け付ける。本実施の形態では、操作受付部１１２は、追加操作、削除操作などを受け付ける。追加操作は、例えば、登録対象機器の決定及び追加を要求する操作である。削除操作は、１以上の登録対象機器のうち１つの機器を削除対象機器として選択する操作である。各操作の詳細については、各操作に基づいた照明制御システム１の動作とともに後で説明する。
【００５８】
操作受付部１１２は、ユーザインタフェースであり、例えば、表示部１１６に表示されるＧＵＩ（Ｇｒａｐｈｉｃａｌ  Ｕｓｅｒ  Ｉｎｔｅｒｆａｃｅ）及びタッチセンサなどで実現される。操作受付部１１２は、操作端末１１に設けられた物理的なボタンなどでもよい。
【００５９】
制御部１１３は、操作端末１１の全体の動作を制御する。制御部１１３は、例えば、マイコン（マイクロコントローラ）で実現される。具体的には、制御部１１３は、プログラムが格納された不揮発性メモリ、プログラムを実行するための一時的な記憶領域である揮発性メモリ、入出力ポート、プログラムを実行するプロセッサなどで実現される。
【００６０】
制御部１１３は、例えば、操作受付部１１２が受け付けた操作に基づいて、操作端末１１の各構成要素を制御する。例えば、操作受付部１１２が撮影操作を受け付けた場合には、撮影部１１７を起動し、撮影が可能な状態にする。また、制御部１１３は、操作受付部１１２が追加操作又は削除操作を受け付けた場合には、通信部１１５に対して追加要求又は削除要求を送信させる。
【００６１】
記憶部１１４は、登録対象機器の登録情報などを記憶するための記憶部である。記憶部１１４は、例えば、不揮発性メモリで実現される。記憶部１１４には、例えば、ゲートウェイ１３から通知される登録対象機器を示す情報（例えば、後述する一覧情報）が記憶される。
【００６２】
本実施の形態では、記憶部１１４には、アイコン対応テーブル１１８が記憶されている。図６は、本実施の形態に係るアイコン対応テーブル１１８を示す図である。
【００６３】
図６に示すように、アイコン対応テーブル１１８では、複数の機器の種別と、機器の名称と、表示部１１６に表示するためのアイコン画像とが対応付けられている。複数の機器の種別は、識別子に含まれる種別情報である。アイコン画像は、例えば、照明装置２０の外観を模式的に示す画像である。なお、アイコン画像及び名称は、適宜変更可能でもよい。
【００６４】
通信部１１５は、ルータ１２と無線通信を行う。通信部１１５は、例えば、Ｗｉ−Ｆｉに基づいた無線通信を行う通信インタフェースである。通信部１１５は、制御部１１３による制御に基づいて、取得部１１１が取得した複数の第１識別子を、ルータ１２を介してゲートウェイ１３に送信する。具体的には、通信部１１５は、複数の第１識別子を含む追加要求又は削除要求を送信する。
【００６５】
また、通信部１１５は、追加要求又は削除要求の応答として、ゲートウェイ１３からルータ１２を介して所定の通知を受信する。例えば、通信部１１５は、追加要求の応答として、ゲートウェイ１３において決定された１以上の登録対象機器の通知を受信する。また、通信部１１５は、削除要求の応答として削除完了通知を受信する。
【００６６】
表示部１１６は、登録対象機器を種別とともに表示する。表示部１１６は、例えば、液晶表示装置などで実現される。
【００６７】
図７は、本実施の形態に係る操作端末１１の表示部１１６に表示される登録対象機器を示す画面例である。具体的には、図７は、登録対象機器として決定された複数の機器を登録するための登録画面９０を示している。
【００６８】
制御部１１３は、通信部１１５が追加要求の応答として登録対象機器の通知を受信した場合に、当該通知に基づいて登録画面９０を生成する。登録画面９０では、複数の登録対象機器の各々について、アイコン画像９１と、名称９２と、識別子９３と、登録ボタン９４とが含まれる。
【００６９】
登録対象機器の通知には、ゲートウェイ１３において決定された１以上の登録対象機器の識別子が含まれる。制御部１１３は、登録対象機器の識別子に含まれる種別情報に基づいて、当該種別情報が示す種別に対応するアイコン画像９１及び名称９２を記憶部１１４から読み出す。制御部１１３は、読み出したアイコン画像９１及び名称９２と登録対象機器（識別子９３）とを対応付けた登録画面９０を生成し、生成した登録画面９０を表示部１１６に表示させる。
【００７０】
登録ボタン９４は、登録処理を開始するためのボタンである。操作受付部１１２が、登録ボタン９４の押下を検出した場合に、対応する照明装置２０の登録処理が開始される。登録処理は、例えば、名称９２の変更、照明装置２０の位置の確認など、照明装置２０を制御するための予備的処理である。
【００７１】
［ゲートウェイ］
図８は、本実施の形態に係るゲートウェイ１３の構成を示すブロック図である。図８に示すように、ゲートウェイ１３は、通信部１３１と、受信バッファ１３２と、制御部１３３と、記憶部１３４とを備える。
【００７２】
通信部１３１は、無線通信を行うことで、無線通信の通信範囲内に位置する複数の機器から当該複数の機器の各々に固有の識別子を第２識別子として取得する。通信部１３１は、例えばＺｉｇＢｅｅに基づいた無線通信を行う通信インタフェースを有する。
【００７３】
本実施の形態では、通信部１３１は、操作端末１１の取得部１１１が複数の第１識別子を取得した場合に、通信範囲内に位置する複数の機器に対して識別子の送信を要求する。具体的には、通信部１３１は、取得部１１１が複数の第１識別子を取得した後に操作端末１１から送信される追加要求を受信した場合に、複数の機器に対して識別子要求を送信する。例えば、通信部１３１は、識別子要求をブロードキャストで送信する。なお、追加要求には、複数の第１識別子が含まれる。
【００７４】
また、通信部１３１は、操作端末１１の取得部１１１が追加機器の識別子を取得した場合に、通信範囲内に位置する複数の機器に対して識別子の送信を要求する。具体的には、通信部１３１は、取得部１１１が追加機器の識別子を取得した後に操作端末１１から送信される追加要求を受信した場合に、複数の機器に対して識別子要求をブロードキャストで送信する。なお、追加要求には、追加機器の識別子が含まれる。
【００７５】
また、通信部１３１は、操作端末１１の操作受付部１１２が削除操作を受け付けた場合に、削除対象機器に、削除対象機器として選択されたことを示す削除通知を送信する。例えば、削除操作には、１以上の削除対象機器を示す情報が含まれている。通信部１３１は、削除操作に基づいて操作端末１１から送信される削除要求を受信した場合に、１以上の削除対象機器に対して削除通知をユニキャスト又はマルチキャストで送信する。なお、削除要求には、１以上の削除対象機器の識別子が含まれる。
【００７６】
通信部１３１は、さらに、ルータ１２との有線を介した通信を行う。これにより、通信部１３１は、ルータ１２を介して操作端末１１と通信する。例えば、通信部１３１は、イーサネット（登録商標）ケーブルなどが接続される通信インタフェースを有する。通信部１３１は、ルータ１２を介して、操作端末１１から追加要求及び削除要求などを受信する。
【００７７】
受信バッファ１３２は、操作端末１１から受信した情報を一時的に記憶するためのバッファメモリである。具体的には、受信バッファ１３２は、通信部１３１が操作端末１１から識別子を受信した場合に、受信した識別子を一時的に記憶する。受信バッファ１３２は、例えば、揮発性メモリであるが、不揮発性メモリでもよい。受信バッファ１３２には、例えば、複数の第１識別子、追加機器の識別子、削除対象機器の識別子などが含まれる。
【００７８】
制御部１３３は、ゲートウェイ１３の全体の動作を制御する。制御部１３３は、例えば、マイコンで実現される。具体的には、制御部１３３は、プログラムが格納された不揮発性メモリ、プログラムを実行するための一時的な記憶領域である揮発性メモリ、入出力ポート、プログラムを実行するプロセッサなどで実現される。
【００７９】
制御部１３３は、操作端末１１の取得部１１１が取得した複数の第１識別子と通信部１３１が取得した複数の第２識別子とを比較する。制御部１３３は、複数の第１識別子のうち、複数の第２識別子のいずれかに一致する１以上の第１識別子に対応する１以上の機器を、登録対象機器として決定する。本実施の形態では、制御部１３３は、比較結果に基づいて一覧情報１３６を生成し、記憶部１３４に保存する。
【００８０】
また、制御部１３３は、通信部１３１が操作端末１１又は他の端末機器から送信された所定の要求を受信した場合に、当該要求に応じた処理を行う。
【００８１】
例えば、制御部１３３は、制御装置１０とは異なる端末機器からの要求に応じて、一覧情報１３６が示す１以上の登録対象機器を当該端末機器に通知する。具体的には、制御部１３３は、通信部１３１が一覧要求を受信した場合に、記憶部１３４から一覧情報１３６を読み出し、一覧情報１３６が示す全ての登録対象機器の識別子を、一覧要求の応答として当該端末機器に送信する。具体的な動作については、図１２を用いて後で説明する。
【００８２】
また、制御部１３３は、通信部１３１が追加要求を受信した場合には、追加機器の識別子と通信部１３１が取得した複数の第２識別子とを比較し、追加機器の識別子が複数の第２識別子のいずれかに一致した場合に、一覧情報１３６に追加機器を追加する。具体的な動作については、図１３を用いて後で説明する。
【００８３】
また、制御部１３３は、通信部１３１が削除要求を受信した場合には、通信部１３１が削除通知を送信してから所定期間経過後、又は、当該削除通知に対する応答を受信した場合に、一覧情報１３６から削除対象機器を削除する。具体的な動作については、図１４を用いて後で説明する。
【００８４】
記憶部１３４は、ゲートウェイ１３に固有に割り当てられた識別子１３５を記憶する記憶部である。記憶部１３４は、例えば不揮発性メモリである。
【００８５】
本実施の形態では、記憶部１３４には、一覧情報１３６が保存される。一覧情報１３６は、登録対象機器として決定された１以上の機器の一覧を示す情報であり、制御部１３３による識別子の比較結果に基づいて生成される。
【００８６】
図９は、本実施の形態に係る一覧情報１３６を示す図である。一覧情報１３６は、例えば、複数の登録対象機器の各々の識別子を含んでいる。なお、複数の登録対象機器の識別子には、対応する登録対象機器の付属情報が対応付けられていてもよい。付属情報は、例えば、登録対象機器の名称、ＩＰアドレス、設置位置を示す情報などである。
【００８７】
［動作］
［通信の確立処理］
続いて、照明制御システム１の動作について説明する。本実施の形態に係る照明制御システム１では、制御装置１０が操作端末１１と、ルータ１２と、ゲートウェイ１３とを備えるので、まずは操作端末１１とゲートウェイ１３との通信を確立する必要がある。
【００８８】
図１０は、本実施の形態に係る照明制御システム１において、操作端末１１とルータ１２及びゲートウェイ１３との通信を確立する処理を示すシーケンス図である。
【００８９】
まず、ゲートウェイ１３の電源を投入する（Ｓ１０）。ここでは、ルータ１２の電源は予め投入されており、ルータ１２は起動済みである場合を想定する。なお、ルータ１２の電源の投入は、ゲートウェイ１３の電源の投入と同時でもよく、後に行われてもよい。ルータ１２は、ＤＨＣＰによって、ゲートウェイ１３にＩＰアドレスを割り当てる（Ｓ１２）。
【００９０】
次に、操作端末１１の電源を投入する（Ｓ１４）。ルータ１２は、ＤＨＣＰによって、操作端末１１にＩＰアドレスを割り当てる（Ｓ１６）。ＩＰアドレスの割り当ては、操作端末１１とゲートウェイ１３とのいずれが先に行われてもよい。
【００９１】
次に、操作端末１１は、ゲートウェイ１３の識別子を取得する（Ｓ１８）。例えば、ゲートウェイ１３には、固有の識別子が割り当てられ、照明装置２０と同様に、当該識別子を示すＱＲコード（登録商標）が外側面に付されている。撮影部１１７が当該ＱＲコード（登録商標）を撮影することで、取得部１１１は、ゲートウェイ１３の識別子を取得する。
【００９２】
次に、操作端末１１は、ゲートウェイ１３の検索を行う（Ｓ２０）。具体的には、通信部１１５がゲートウェイ１３に識別子の送信要求を送信する。ゲートウェイ１３は、当該送信要求に対する応答として識別子を送信する（Ｓ２２）。具体的には、制御部１３３は、記憶部１３４に記憶されている識別子１３５を読み出し、読み出した識別子１３５を、通信部１３１を介して操作端末１１に送信する。
【００９３】
操作端末１１は、識別子を比較する（Ｓ２４）。具体的には、制御部１１３が、取得部１１１が取得した識別子と、通信部１１５がゲートウェイ１３から取得した識別子とを比較する。２つの識別子が一致した場合に、操作端末１１は、ゲートウェイ１３を登録する。
【００９４】
以上の処理により、操作端末１１とルータ１２及びゲートウェイ１３との間で通信が確立される。
【００９５】
［登録予備処理］
続いて、本実施の形態に係る照明制御システム１における登録予備処理を説明する。登録予備処理は、登録処理の予備的処理であり、登録対象機器を決定する処理である。
【００９６】
以下では、図１に示したように、２つのダウンライト２０ａ及び２０ｂ並びに１つのシーリングライト２０ｃを自室２ａに設置する場合について説明する。すなわち、３つの照明装置２０が制御対象機器であり、登録対象機器として決定されるべき機器である。なお、他室２ｂに設置されたダウンライト３０ａがゲートウェイ１３による無線通信の通信範囲内に位置している。
【００９７】
図１１は、本実施の形態に係る照明制御システム１において、複数の照明装置２０の登録予備処理を示すシーケンス図である。
【００９８】
まず、操作端末１１の取得部１１１が、複数の照明装置２０の識別子を第１識別子として取得する（Ｓ２６：第１取得ステップ）。具体的には、ユーザ又は施工業者の操作によって、撮影部１１７は、複数の照明装置２０の各々の外側面に付されたＱＲコード（登録商標）（識別子情報２６）を順に撮影する。これにより、取得部１１１は、ＱＲコード（登録商標）を解析することで、３つの照明装置２０の識別子Ａ〜Ｃを第１識別子として取得する。
【００９９】
ここで、ユーザ又は施工業者は、ＱＲコード（登録商標）の撮影を終了した後、３つの照明装置２０を設置する（Ｓ２８）。具体的には、設置箇所への電力の供給を断った後、照明装置２０を取り付ける。３つの照明装置２０を適切に取り付けた後、設置箇所への電力の供給を再開する。
【０１００】
このように、３つの照明装置２０をまとめて一度に取り付けることができる。すなわち、照明装置２０を１つずつ撮影（識別子の取得）及び設置を順に繰り返す必要はなく、３つの照明装置２０を撮影した後、３つの照明装置２０を設置することができる。設置作業をまとめて行うことができるので、施工業者にとっての利便性を高めることができる。
【０１０１】
次に、操作受付部１１２は、ユーザ又は施工業者から追加操作を受け付ける（Ｓ３０）。追加操作は、例えば、３つの照明装置２０の設置が完了した後、ユーザ又は施工業者によってなされる。
【０１０２】
制御部１１３は、操作受付部１１２が追加操作を受け付けた場合、通信部１１５を介して、追加要求をゲートウェイ１３に送信する（Ｓ３２）。追加要求には、取得部１１１が取得した３つの第１識別子Ａ〜Ｃが含まれる。つまり、通信部１１５は、３つの第１識別子Ａ〜Ｃをまとめて送信する。
【０１０３】
ゲートウェイ１３の通信部１３１は、操作端末１１からの追加要求を受信した場合、識別子要求をブロードキャストで送信する（Ｓ３４）。なお、追加要求に含まれる３つの第１識別子Ａ〜Ｃは、受信バッファ１３２に一時的に保存される。
【０１０４】
識別子要求がブロードキャストで送信されるので、ゲートウェイ１３による無線通信の通信範囲内に位置する全ての機器に識別子要求が送信される。このため、図１１に示すように、自室２ａに設置したダウンライト２０ａ及び２０ｂ並びにシーリングライト２０ｃだけでなく、他室２ｂに設置されたダウンライト３０ａも識別子要求を受信する。
【０１０５】
識別子要求を受信した複数の機器は、各々がゲートウェイ１３と通信を確立し、自身が有する識別子を応答として送信する。例えば、ダウンライト２０ａの制御部２２は、記憶部２３に保存された識別子２４（識別子Ａ）を読み出して、通信部２１を介して識別子Ａをゲートウェイ１３に送信する（Ｓ３６）。
【０１０６】
同様に、ダウンライト２０ｂは、識別子Ｂをゲートウェイ１３に送信する（Ｓ３８）。シーリングライト２０ｃは、識別子Ｃをゲートウェイ１３に送信する（Ｓ４０）。他室２ｂに設置されたダウンライト３０ａも、識別子Ｄをゲートウェイ１３に送信する（Ｓ４２）。
【０１０７】
これにより、ゲートウェイ１３の通信部１３１は、無線通信の通信範囲内に位置する複数の機器から複数の識別子を取得する（第２取得ステップ）。図１１に示す例では、通信部１３１は、４つの識別子Ａ〜Ｄを第２識別子として取得する。
【０１０８】
次に、ゲートウェイ１３の制御部１３３は、操作端末１１から取得した複数の第１識別子Ａ〜Ｃと、通信部１３１が取得した複数の第２識別子Ａ〜Ｄとを比較する（Ｓ４４）。結果、操作端末１１から取得した第１識別子Ａ〜Ｃは、通信部１３１を介して取得した第２識別子Ａ〜Ｃに一致するので、制御部１３３は、第１識別子Ａ〜Ｃに対応する照明装置２０を登録対象機器として決定する（決定ステップ）。一方で、通信部１３１を介して取得した第２識別子Ｄは、操作端末１１から取得された第１識別子には一致しない。このため、第２識別子Ｄに対応するダウンライト３０ａは、登録対象機器から除外される。
【０１０９】
制御部１３３は、識別子の比較結果に基づいて、一覧情報１３６を生成する（Ｓ４６）。例えば、図９に示す一覧情報１３６が生成されて、ゲートウェイ１３の記憶部１３４に保存される。
【０１１０】
次に、通信部１３１は、追加要求に対する応答として、操作端末１１に登録対象機器を通知する（Ｓ４８）。具体的には、通信部１３１は、複数の登録対象機器の識別子を操作端末１１に送信する。図１１に示す例では、識別子Ａ〜Ｃを送信する。なお、通信部１３１は、一覧情報１３６を操作端末１１に送信してもよい。
【０１１１】
操作端末１１の表示部１１６は、追加応答として受信した識別子Ａ〜Ｃに対応する登録対象機器を表示する（Ｓ５０）。具体的には、表示部１１６は、図７に示す登録画面９０を表示する。登録画面９０では、識別子Ａ〜Ｃの各々に対応する２つのダウンライト２０ａ及び２０ｂ並びに１つのシーリングライト２０ｃのアイコン画像９１などが表示される。
【０１１２】
以上のように、操作端末１１には、取得部１１１が取得した複数の第１識別子と、通信部１３１が取得した複数の第２識別子とのうち、一致した識別子に対応する機器のみが登録対象機器として表示される。このため、ダウンライト３０ａなどの設置対象ではない機器は、登録対象機器として表示されないので、誤登録の発生を抑制することができる。また、追加要求に基づいて一括して複数の機器を登録することができるので、容易に複数の機器の登録を行うことができる。
【０１１３】
なお、ダウンライト２０ａ及び２０ｂ並びにシーリングライト２０ｃのいずれかが適切に設置されていない場合が考えられる。あるいは、ゲートウェイ１３の設置場所が適切ではなく、ダウンライト２０ａ及び２０ｂ並びにシーリングライト２０ｃのいずれかが無線通信の通信範囲外に位置してしまう場合も考えられる。
【０１１４】
これらの場合、ゲートウェイ１３の通信部１３１は、識別子要求に対する応答として識別子Ａ〜Ｃのいずれかが取得できない。例えば、ダウンライト２０ａの識別子Ａが取得されない場合には、ゲートウェイ１３の比較処理において、識別子Ａが一致しない識別子と判定される。したがって、表示部１１６には、ダウンライト２０ａが表示されない。
【０１１５】
これにより、ユーザ又は施工業者は、設置したはずのダウンライト２０ａが適切に設置されていない、又は、無線通信に問題があることを把握することができる。したがって、ゲートウェイ１３の設置位置の調整、又は、ダウンライト２０ａの再設置などの適切な対処を行うことができる。
【０１１６】
［操作端末の追加処理］
次に、本実施の形態に係る照明制御システム１において操作端末を追加（又は交換）する処理について説明する。図１２は、本実施の形態に係る照明制御システム１において、操作端末（追加端末１１ｘ）を追加する処理を示すシーケンス図である。なお、追加端末１１ｘは、操作端末１１と同じ構成要素を備える。
【０１１７】
まず、追加端末１１ｘの操作受付部１１２は、機器一覧の表示操作を受け付ける（Ｓ５２）。機器一覧の表示操作は、例えば、ユーザが登録対象機器の確認を行うための操作である。
【０１１８】
制御部１１３は、操作受付部１１２が機器一覧の表示操作を受け付けた場合に、通信部１１５を介して一覧要求をゲートウェイ１３に送信する（Ｓ５４）。一覧要求は、ゲートウェイ１３の記憶部１３４に記憶されている一覧情報１３６を送信させるための要求である。
【０１１９】
ゲートウェイ１３の制御部１３３は、通信部１３１が一覧要求を受信した場合に、記憶部１３４から一覧情報１３６を読み出す（Ｓ５６）。そして、通信部１３１は、読み出された一覧情報１３６に示される識別子Ａ〜Ｃを、一覧要求の応答として追加端末１１ｘに送信する（Ｓ５８）。なお、通信部１３１は、付属情報なども含む一覧情報１３６を送信してもよい。
【０１２０】
追加端末１１ｘの表示部１１６は、一覧応答として受信した識別子Ａ〜Ｃに対応する登録対象機器を表示する（Ｓ６０）。具体的には、表示部１１６は、図７に示す登録画面９０を表示する。これにより、追加端末１１ｘでは、継続して登録処理を行うことができる。
【０１２１】
以上のように、追加端末１１ｘを操作端末として容易に追加することができる。具体的には、追加端末１１ｘを操作端末として追加する際に、再度の登録予備処理が必要ではないので、非常にユーザ利便性が高い。仮に、追加端末１１ｘにおいて識別子の取得（ＱＲコード（登録商標）の撮影）が必要であるとすれば、設置済みのダウンライト２０ａなどを取り外さなければならず、非常に煩わしい作業をユーザに強いることになる。
【０１２２】
これに対して、図１２に示したように、追加端末１１ｘが一覧情報１３６に示される識別子Ａ〜Ｃを受信するだけで、操作端末１１が利用していた情報をそのまま利用することができる。したがって、追加端末１１ｘを新たな操作端末として簡単に利用することができる。
【０１２３】
これにより、複数の操作端末によって複数の照明装置２０を制御することができるので、ユーザ利便性をより高めることができる。また、既存の操作端末１１が何らかの原因で故障した場合においても、追加端末１１ｘを新たな操作端末として利用することができる。
【０１２４】
［照明装置の追加処理］
次に、本実施の形態に係る照明制御システム１において、制御対象の機器を追加する処理について説明する。図１３は、本実施の形態に係る照明制御システム１において、照明装置２０を追加する処理を示すシーケンス図である。
【０１２５】
以下では、図１１に示す登録予備処理によって、既に３つの照明装置２０が登録対象機器として一覧情報１３６に含まれている場合に、新たな機器として、ペンダントライト２０ｘを追加する処理を説明する。
【０１２６】
まず、操作端末１１の取得部１１１が、ペンダントライト２０ｘの識別子を取得する（Ｓ１２６）。具体的には、ユーザ又は施工業者の操作によって、撮影部１１７は、ペンダントライト２０ｘの外側面に付されたＱＲコード（登録商標）を撮影する。これにより、取得部１１１は、ペンダントライト２０ｘの識別子Ｅを取得する。なお、複数の機器を追加する場合は、図１１に示した場合と同様に、複数の機器の各々の識別子を取得すればよい。
【０１２７】
ユーザ又は施工業者は、ペンダントライト２０ｘのＱＲコード（登録商標）を撮影した後、ペンダントライト２０ｘを設置する（Ｓ１２８）。具体的な設置処理は、他の照明装置の場合と同様である。ペンダントライト２０ｘを設置した後、ユーザ又は施工業者は、操作端末１１を操作して追加操作を行う。これにより、操作受付部１１２は、ユーザ又は施工業者から追加操作を受け付ける（Ｓ１３０）。
【０１２８】
制御部１１３は、操作受付部１１２が追加操作を受け付けた場合に、通信部１１５を介して、追加要求をゲートウェイ１３に送信する（Ｓ１３２）。追加要求には、ペンダントライト２０ｘの識別子Ｅが含まれる。識別子Ｅは、受信バッファ１３２に一時的に保存される。
【０１２９】
ゲートウェイ１３は、操作端末１１からの追加要求を受信した場合、識別子要求をブロードキャストで送信する（Ｓ１３４）。図１１でも示したように、ダウンライト２０ａ及び２０ｂ、シーリングライト２０ｃ並びにダウンライト３０ａの各々から、通信部１３１は、識別子Ａ〜Ｄを第２識別子として取得する（Ｓ１３６〜Ｓ１４２）。図１３に示す例では、ペンダントライト２０ｘが新たに設置されているので、通信部１３１は、ペンダントライト２０ｘからも識別子Ｅを第２識別子として取得する（Ｓ１４３）。
【０１３０】
次に、ゲートウェイ１３の制御部１３３は、操作端末１１から取得した識別子Ｅと、通信部１３１が取得した複数の第２識別子Ａ〜Ｅとを比較する（Ｓ１４４）。結果、操作端末１１から取得した識別子Ｅと、通信部１３１が取得した第２識別子Ｅとが一致するので、制御部１３３は、識別子Ｅに対応するペンダントライト２０ｘを、新たな登録対象機器として決定する。
【０１３１】
制御部１３３は、識別子の比較結果に基づいて、一覧情報１３６を更新する（Ｓ１４６）。具体的には、制御部１３３は、識別子Ｅを新たに一覧情報１３６に追加する。これにより、一覧情報１３６には、識別子Ａ〜Ｃ及びＥが含まれる。
【０１３２】
次に、通信部１３１は、追加要求に対する応答として、新たに一覧情報１３６に追加した識別子を操作端末１１に送信する（Ｓ１４８）。具体的には、通信部１３１は、ペンダントライト２０ｘの識別子Ｅを送信する。
【０１３３】
操作端末１１の表示部１１６は、追加応答として受信した識別子Ｅに対応する登録対象機器を表示する（Ｓ１５０）。例えば、表示部１１６には、識別子Ｅに対応するペンダントライト２０ｘのみが含まれる登録画面が表示される。なお、追加応答の送信（Ｓ１４８）又は登録画面の表示（Ｓ１５０）の際には、既に登録済みの識別子Ａ〜Ｃを合わせて送信又は表示してもよい。
【０１３４】
以上のように、新たに機器を容易に追加することができる。新たに機器を追加する場合においても、ゲートウェイ１３は、他室２ｂのダウンライト３０ａから識別子Ｄを取得するが、操作端末１１から識別子Ｄを取得しないので、識別子Ｄを一覧情報１３６に追加しない。したがって、誤登録の発生を抑制することができる。
【０１３５】
［照明装置の削除処理］
次に、本実施の形態に係る照明制御システム１において、登録対象機器を削除する処理について説明する。図１４は、本実施の形態に係る照明制御システム１において、照明装置２０を削除する処理を示すシーケンス図である。
【０１３６】
以下では、図１１に示す登録予備処理によって、既に３つの照明装置２０が登録対象機器として一覧情報１３６に含まれている場合に、１つの登録対象機器を削除する処理を説明する。
【０１３７】
まず、操作端末１１の操作受付部１１２が削除操作を受け付ける（Ｓ７０）。削除操作は、複数の登録対象機器から１以上の削除対象機器を削除するための操作である。ここでは、操作受付部１１２は、一例として、シーリングライト２０ｃを削除する削除操作を受け付ける。
【０１３８】
次に、制御部１１３は、操作受付部１１２が削除操作を受け付けた場合に、通信部１１５を介して、削除要求をゲートウェイ１３に送信する（Ｓ７２）。削除要求には、シーリングライト２０ｃの識別子Ｃが含まれる。
【０１３９】
ゲートウェイ１３は、操作端末１１からの削除要求を受信した場合、削除通知を削除対象機器に送信する（Ｓ７４）。ここでは、通信部１３１が、削除通知をユニキャストでシーリングライト２０ｃに送信する。なお、削除要求に含まれる識別子Ｃは、受信バッファ１３２に一時的に保存される。
【０１４０】
シーリングライト２０ｃは、削除通知の確認処理を行う（Ｓ７６）。具体的には、シーリングライト２０ｃは、制御装置１０からの制御対象から外れたことを確認し、制御装置１０からの指示による照明制御を禁止する。これにより、例えば、ゲートウェイ１３からブロードキャストで点灯指示などが送られた場合でも、シーリングライト２０ｃは、当該点灯指示に従っては動作しない。
【０１４１】
シーリングライト２０ｃは、削除通知の応答として識別子Ｃをゲートウェイ１３に送信する（Ｓ７８）。なお、必要に応じて、ユーザ又は施工業者は、シーリングライト２０ｃを取り外してもよい。これにより、例えば、シーリングライト２０ｃを別の照明装置に交換することができる。
【０１４２】
ゲートウェイ１３では、制御部１３３は、通信部１３１が削除通知に対する応答を受信した場合に、一覧情報１３６から削除対象機器を削除する（Ｓ８０）。なお、通信部１３１が削除通知に対する応答を受信しない場合であっても、削除通知を送信してから所定期間経過後に、一覧情報１３６から削除対象機器を削除する。
【０１４３】
次に、通信部１３１は、削除要求に対する応答として、削除完了通知を操作端末１１に送信する（Ｓ８２）。削除完了通知には、削除した機器の識別子が含まれる。図１４に示す例では、通信部１３１は、シーリングライト２０ｃの識別子Ｃを送信する。
【０１４４】
操作端末１１の表示部１１６は、削除処理の終了表示を行う（Ｓ８４）。具体的には、表示部１１６は、削除対象機器の削除が終了したことを示す画像を表示する。
【０１４５】
以上のように、登録対象機器を容易に削除することができる。これにより、例えば、照明装置を交換する、又は、照明装置を制御対象から除外することができる。
【０１４６】
［照明装置の交換処理］
次に、本実施の形態に係る照明制御システム１において、登録対象機器を交換する処理について説明する。本実施の形態では、交換処理は、図１４に示す削除処理の後に、図１３に示す追加処理を行えばよい。
【０１４７】
［効果など］
以上のように、本実施の形態に係る照明制御システム１は、複数の照明装置２０を含む複数の機器と、複数の機器との間で無線通信を行う制御装置１０とを備える照明制御システム１であって、制御装置１０は、無線通信とは異なる手段で、複数の機器の各々に固有の識別子を第１識別子として取得する取得部１１１と、無線通信を行うことで、無線通信の通信範囲内に位置する複数の機器から当該複数の機器の各々に固有の識別子を第２識別子として取得する通信部１３１と、取得部１１１が取得した複数の第１識別子と通信部１３１が取得した複数の第２識別子とを比較し、複数の第１識別子のうち、複数の第２識別子のいずれかに一致する１以上の第１識別子に対応する１以上の機器を、登録対象機器として決定する制御部１３３とを備える。また、例えば、制御装置１０は、取得部１１１を備える操作端末１１と、通信部１３１及び制御部１３３を備え、操作端末１１と通信するゲートウェイ１３とを備える。
【０１４８】
このように、取得部１１１が取得した第１識別子と通信部１３１が取得した第２識別子とを比較して、一致した識別子に対応する機器を登録対象機器として決定する。このため、例えば、無線通信の通信範囲内に位置する機器から無線通信によって第２識別子が取得されたとしても、当該第２識別子が、取得部１１１が取得した第１識別子に一致しなければ、当該機器は、登録対象機器としては決定されない。したがって、機器の誤登録の発生を抑制することができる。
【０１４９】
また、複数の第１識別子と複数の第２識別子とを比較するので、複数の機器をまとめて登録対象機器として決定することができる。したがって、複数の機器を１つ１つ登録する場合に比べて、容易に複数の機器を登録することができる。
【０１５０】
また、例えば、通信部１３１は、さらに、取得部１１１が複数の第１識別子を取得した場合に、通信範囲内に位置する複数の機器に対して識別子の送信を要求する。
【０１５１】
このように、複数の第１識別子を取得した場合に複数の機器に識別子要求を送信するので、複数の識別子をまとめて比較することができる。これにより、複数の機器をまとめて登録対象機器として決定することができる。
【０１５２】
また、例えば、制御装置１０は、さらに、記憶部１３４を備え、制御部１３３は、登録対象機器として決定された１以上の機器の一覧を示す一覧情報１３６を生成し、記憶部１３４に保存する。
【０１５３】
これにより、一覧情報１３６が記憶部１３４に保存されるので、機器（照明装置２０）の追加、削除若しくは交換、又は、制御装置１０の追加若しくは交換などを容易に行うことができる。例えば、機器の追加、削除若しくは交換が行われた場合に、改めて登録予備処理を行わずに、一覧情報１３６が示す識別子を利用することができる。これにより、機器の追加の際のユーザ利便性を高めることができる。
【０１５４】
また、例えば、制御部１３３は、さらに、制御装置１０とは異なる追加端末１１ｘからの要求に応じて、一覧情報１３６が示す１以上の登録対象機器を追加端末１１ｘに通知する。
【０１５５】
これにより、複数の機器を制御する操作端末を追加又は交換することができる。つまり、制御装置１０とは異なる追加端末１１ｘには登録対象機器が通知されるので、追加端末１１ｘでは、通知された登録対象機器に基づいて機器の登録を行い、各機器を制御することができる。
【０１５６】
また、例えば、取得部１１１は、さらに、登録対象機器とは異なる機器である追加機器の識別子を取得し、通信部１３１は、さらに、取得部１１１が追加機器の識別子を取得した場合に、通信範囲内に位置する複数の機器に対して識別子の送信を要求し、制御部１３３は、さらに、追加機器の識別子と通信部１３１が取得した複数の第２識別子とを比較し、追加機器の識別子が複数の第２識別子のいずれかに一致した場合に、一覧情報１３６に追加機器を追加する。
【０１５７】
これにより、新たな機器を制御対象に追加することができる。したがって、複数の機器を設置した後にユーザが機器を追加したい場合でも、容易に機器を追加することができる。
【０１５８】
また、例えば、制御装置１０は、さらに、１以上の登録対象機器のうち１つの機器を削除対象機器として選択する削除操作を受け付ける操作受付部１１２を備え、通信部１３１は、さらに、操作受付部１１２が削除操作を受け付けた場合に、削除対象機器に、削除対象機器として選択されたことを示す削除通知を送信し、制御部１３３は、さらに、通信部１３１が削除通知に対する応答を受信した場合に、又は、削除通知を送信してから所定期間経過後に、一覧情報から削除対象機器を削除する。
【０１５９】
これにより、設置済みの機器を制御対象から削除することができる。また、削除処理に合わせて追加処理を行うことで、設置済みの機器を別の機器に交換することができる。
【０１６０】
また、例えば、識別子は、機器の種別を示す種別情報を含み、制御装置１０は、さらに、登録対象機器を、当該登録対象機器に対応する識別子が含む種別情報が示す種別とともに表示する表示部１１６を備える。
【０１６１】
このように、表示部１１６が種別と登録対象機器とを合わせて表示するので、登録対象機器を視覚的に分かりやすくすることができる。したがって、ユーザ利便性を高めることができ、登録処理を支援することができる。
【０１６２】
また、例えば、複数の機器の外側面には、対応する識別子を示す識別子情報２６が付され、取得部１１１は、識別子情報２６を撮影する撮影部１１７を含み、撮影された識別子情報２６を解析することで、第１識別子を取得する。
【０１６３】
これにより、第１識別子を容易に取得することができる。
【０１６４】
また、例えば、識別子情報２６は、ＱＲコード（登録商標）である。
【０１６５】
これにより、第１識別子を容易に取得することができる。
【０１６６】
また、例えば、本実施の形態に係る照明装置２０は、照明制御システム１が備える複数の照明装置２０の１つである照明装置であって、固有に割り当てられた識別子を記憶する記憶部２３と、制御装置１０から識別子の送信を要求された場合に、無線通信を行うことで、記憶部２３に記憶された識別子を制御装置１０に送信する通信部２１とを備える。
【０１６７】
これにより、識別子要求に応じて識別子を無線通信により制御装置１０に送信するので、制御装置１０では、無線通信とは異なる手段で取得した第１識別子と、照明装置２０から無線通信により取得した第２識別子とを比較することができる。すなわち、照明装置２０は、本実施の形態に係る照明制御システム１に適用することができるので、誤登録の発生の抑制及び照明装置２０の登録を支援することができる。
【０１６８】
また、例えば、本実施の形態に係るゲートウェイ１３（照明制御装置）は、複数の照明装置２０を含む複数の機器との間で無線通信を行う照明制御装置であって、無線通信を行うことで、無線通信の通信範囲内に位置する複数の機器から当該複数の機器の各々に固有の識別子を取得する通信部１３１と、無線通信とは異なる手段で取得された複数の第１識別子と、通信部１３１が取得した複数の識別子である複数の第２識別子とを比較し、複数の第１識別子のうち、複数の第２識別子のいずれかに一致する１以上の第１識別子に対応する１以上の機器を、登録対象機器として決定する制御部１３３とを備える。
【０１６９】
これにより、無線通信の通信範囲内に位置する機器から無線通信によって第２識別子が取得されたとしても、当該第２識別子が、無線通信とは異なる手段で取得した第１識別子に一致しなければ、当該機器は、登録対象機器としては決定されない。したがって、機器の誤登録の発生を抑制することができる。また、複数の第１識別子と複数の第２識別子とを比較するので、複数の機器をまとめて登録対象機器として決定することができる。したがって、複数の機器を１つ１つ登録する場合に比べて、容易に複数の機器を登録することができる。
【０１７０】
また、例えば、本実施の形態に係る操作端末１１は、ゲートウェイ１３と通信する操作端末であって、無線通信とは異なる手段で、複数の機器の各々に固有の識別子を第１識別子として取得する取得部１１１と、取得部１１１が取得した複数の第１識別子をゲートウェイ１３に送信する通信部１１５とを備え、通信部１１５は、さらに、制御部１３３によって決定された１以上の登録対象機器の通知を受信する。
【０１７１】
これにより、例えば、操作端末１１がユーザ又は施工業者の携帯端末である場合に、ユーザ又は施工業者の手元で、識別子の取得、及び、登録対象機器の表示などを行うことができるので、ユーザ利便性が高い。
【０１７２】
また、例えば、本実施の形態に係る照明制御方法は、複数の照明装置２０を含む複数の機器を制御する照明制御方法であって、複数の機器との間で行われる無線通信とは異なる手段で、複数の機器の各々に固有の識別子を第１識別子として取得する第１取得ステップと、無線通信を行うことで、無線通信の通信範囲内に位置する複数の機器から当該複数の機器の各々に固有の識別子を第２識別子として取得する第２取得ステップと、第１取得ステップで取得した複数の第１識別子と第２取得ステップで取得した複数の第２識別子とを比較し、複数の第１識別子のうち、複数の第２識別子のいずれかに一致する１以上の第１識別子に対応する１以上の機器を、登録対象機器として決定する決定ステップとを含む。
【０１７３】
これにより、誤登録の発生を抑制し、かつ、容易に複数の照明装置２０を登録することができる。
【０１７４】
（実施の形態２）
以下では、実施の形態２に係る照明制御システムについて説明する。
【０１７５】
上記の実施の形態１に係る照明制御システム１では、操作端末１１がゲートウェイ１３を介して複数の照明装置２０の登録及び制御を行う例について示した。これに対して、本実施の形態に係る照明制御システムでは、ゲートウェイ１３を介さずに操作端末が複数の照明装置２０の登録及び制御を行う。
【０１７６】
図１５は、本実施の形態に係る照明制御システム２０１の概要を示す図である。図１５に示すように、照明制御システム２０１は、実施の形態１に係る照明制御システム１と比較して、ルータ１２及びゲートウェイ１３を備えずに、操作端末１１の代わりに操作端末２１０を備える。以下では、実施の形態１と異なる点を中心に説明する。
【０１７７】
操作端末２１０は、複数の照明装置２０の登録及び制御を行う制御装置の一例である。すなわち、操作端末２１０は、実施の形態１に係る制御装置１０に相当する。操作端末２１０は、例えば、スマートフォン、携帯電話、タブレット端末、又は、専用のリモコン装置などである。操作端末２１０は、Ｂｌｕｅｔｏｏｔｈ（登録商標）などの無線通信により、直接、複数の照明装置２０と通信を行う。
【０１７８】
図１６は、本実施の形態に係る操作端末２１０の構成を示すブロック図である。図１６に示すように、操作端末２１０は、図５に示す実施の形態１に係る操作端末１１と比較して、記憶部１１４及び通信部１１５の代わりに、記憶部２１４及び通信部２１５を備える。
【０１７９】
記憶部２１４は、実施の形態１に係る記憶部１１４及び記憶部１３４の両方の機能を果たすための記憶部である。具体的には、記憶部２１４には、図１６に示すように、アイコン対応テーブル１１８及び一覧情報１３６が記憶される。
【０１８０】
通信部２１５は、複数の照明装置２０と直接、無線通信を行う。通信部２１５は、例えば、Ｂｌｕｅｔｏｏｔｈ（登録商標）に基づいた無線通信を行う通信インタフェースである。通信部２１５は、実施の形態１に係るゲートウェイ１３の通信部１３１と同様に、識別子要求を複数の照明装置２０にブロードキャストで送信する。
【０１８１】
本実施の形態に係る照明制御システム２０１の具体的な動作は、実施の形態１と同様である。すなわち、操作端末１１とゲートウェイ１３とが行う処理を、操作端末２１０が単独で行う。したがって、操作端末１１は、実施の形態１で示した照明制御システム１の動作のうち、操作端末１１とゲートウェイ１３との間での要求及び応答を除く処理を実行する。
【０１８２】
以上のように、本実施の形態に係る照明制御システム２０１においても、実施の形態１と同様に、機器の誤登録の発生を抑制しつつ、複数の機器を容易に登録することができる。
【０１８３】
（その他）
以上、本発明に係る照明制御システム、照明装置、照明制御装置及び操作端末について、上記実施の形態及びその変形例に基づいて説明したが、本発明は、上記の実施の形態に限定されるものではない。
【０１８４】
例えば、上記の実施の形態では、識別子情報２６（ＱＲコード（登録商標））が照明装置２０の外側面に付されている例について示したが、これに限定されない。識別子情報２６は、照明装置２０を梱包する梱包材、又は、照明装置２０と同封されている取扱説明書などに付されていてもよい。照明装置２０は、一般的にダンボールなどの箱に入れられて、設置場所である自室２ａまで運ばれる。このため、施工業者は、照明装置２０を設置する場合に、操作端末１１を用いて、説明書又は箱に付された識別子情報２６を撮影してもよい。これにより、識別子情報２６を照明装置２０に付さなくてもよいので、照明装置２０の外観上の美観を高めることができる。特に、照明装置２０が電球形ランプなど、設置された後も外部から視認可能な場合に有利である。
【０１８５】
また、例えば、上記の実施の形態では、ゲートウェイ１３の記憶部１３４が一覧情報１３６を記憶する例について示したが、これに限らない。例えば、操作端末１１が一覧情報１３６を記憶してもよい。あるいは、操作端末１１と通信可能な外部のサーバ装置などが一覧情報１３６を記憶してもよい。
【０１８６】
また、例えば、上記の実施の形態では、操作端末１１が表示部１１６を備える例について示したが、これに限らない。例えば、ゲートウェイ１３が表示部１１６を備えてもよい。
【０１８７】
また、例えば、上記の実施の形態では、照明装置を登録対象機器として決定する例について示したが、これに限定されない。複数の照明装置だけではなく、その他の機器も登録対象機器として決定することができてもよい。その他の機器には、例えば、エアコンなどの空調機器、電子レンジなどの調理機器、冷蔵庫など家電機器が含まれてもよい。
【０１８８】
また、上記の各実施の形態において、各構成要素は、専用のハードウェアで構成されてもよく、あるいは、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）又はプロセッサなどのプログラム実行部が、ハードディスク又は半導体メモリなどの記録媒体に記録されたソフトウェアプログラムを読み出して実行することによって実現されてもよい。
【０１８９】
なお、本発明は、照明制御システム、照明装置、照明制御装置又は操作端末として実現できるだけでなく、照明制御システム、照明装置、照明制御装置又は操作端末の各構成要素が行う処理をステップとして含むプログラム、及び、そのプログラムを記録したコンピュータ読み取り可能なＤＶＤ（Ｄｉｇｉｔａｌ  Ｖｅｒｓａｔｉｌｅ  Ｄｉｓｃ）などの記録媒体として実現することもできる。
【０１９０】
つまり、上述した包括的又は具体的な態様は、システム、装置、集積回路、コンピュータプログラム又はコンピュータ読み取り可能な記録媒体で実現されてもよく、システム、装置、集積回路、コンピュータプログラム及び記録媒体の任意な組み合わせで実現されてもよい。
【０１９１】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１９２】
１、２０１  照明制御システム
１０  制御装置
１１  操作端末
１１ｘ  追加端末（端末機器）
１３  ゲートウェイ（照明制御装置）
２０、３０  照明装置
２０ａ、２０ｂ、３０ａ  ダウンライト
２０ｃ、３０ｂ  シーリングライト
２０ｘ  ペンダントライト（追加機器）
２１  通信部（無線通信部）
２３  記憶部（識別子記憶部）
２４  識別子
２６  ＱＲコード（登録商標）（識別子情報）
１１１  取得部
１１２  操作受付部
１１５  通信部
１１６  表示部
１１７  撮影部
１３１、２１５  通信部
１３３  制御部
１３４、２１４  記憶部
１３６  一覧情報
２１０  操作端末（制御装置）
【図１】
0006614550.tif 000002
【図２】
0006614550.tif 000003
【図３】
0006614550.tif 000004
【図４】
0006614550.tif 000005
【図５】
0006614550.tif 000006
【図６】
0006614550.tif 000007
【図７】
0006614550.tif 000008
【図８】
0006614550.tif 000009
【図９】
0006614550.tif 000010
【図１０】
0006614550.tif 000011
【図１１】
0006614550.tif 000012
【図１２】
0006614550.tif 000013
【図１３】
0006614550.tif 000014
【図１４】
0006614550.tif 000015
【図１５】
0006614550.tif 000016
【図１６】
0006614550.tif 000017